(57)【特許請求の範囲】
【請求項１】
コンピュータ装置に適用されるポインタ装置であって、
その一端に設けられる第一ヒンジ部と、その内部に電気的に設けられ、変位を検出して変位信号を発生する変位感知モジュールを有する固定ベースと、
その一端に設けられると共に前記第一ヒンジ部とピボットされる第二ヒンジ部と、その内部に電気的に設けられると共に電気的に前記変位感知モジュールと接続され、前記変位信号を受け取ると共に、前記変位信号を前記コンピュータ装置に伝送する処理ユニットと、電気的に前記処理ユニットに接続される二つのキーとを有する本体と、を含み、
前記本体は選択的に前記固定ベースに相対して、マウス操作角度またはホールド操作角度へとピボットし、
さらに、前記変位感知モジュールは光源と光センサーとを含み、前記固定ベースはビアを有し、前記光源は前記ビアを通過するセンサー光線を照射し、前記光センサーは前記センサー光線の反射光を受け取り、前記変位信号を発生させることを特徴とする、ポインタ装置。
【請求項２】
さらにホールド部材を含み、さらに前記本体の別の一端には孔部があり、前記ホールド部材は前記孔部内に差し込まれることを特徴とする、請求項１に記載のポインタ装置。
【請求項３】
さらに収容空間を有する外ケース体を含み、前記固定ベースと前記本体は前記外ケース内に収容されることを特徴とする、請求項１に記載のポインタ装置。
【請求項４】
前記外ケース体はさらにそれぞれ前記二つのキーに対応する二つのプッシュ部を含み、少なくとも一つの前記プッシュ部は選択的に作動して前記キーを押すことを特徴とする、請求項３に記載のポインタ装置。
【請求項５】
前記外ケース体はさらにローラーと第一接続ポートとを含み、前記固定ベースは電気的に前記処理ユニットに接続される第二接続ポートを有し、前記固定ベースが前記外ケース内に収容されるとき、前記第一接続ポートと前記第二接続ポートは互いに接続され、前記ローラーは選択的に作動し、ページロール信号を発生し、前記ページロール信号は前記第一接続ポートと前記第二接続ポートとを経て前記処理ユニットに伝送されることを特徴とする、請求項３に記載のポインタ装置。
【請求項６】
前記第一ヒンジ部は少なくとも一つの凸点を有し、前記第二ヒンジ部は少なくとも一つの位置決め穴を有し、前記凸点は前記位置決め穴に嵌め込まれ、前記本体は前記ホールド操作角度を保持することを特徴とする、請求項１に記載のポインタ装置。
【請求項７】
前記本体はさらに凹部を有し、前記本体が前記マウス操作角度へとピボットされるとき、前記固定ベースは前記凹部に嵌め込まれることを特徴とする、請求項１に記載のポインタ装置。
【発明の詳細な説明】
【技術分野】
【０００１】
本発明は、ポインタ装置に関する。より詳しくは、ユーザーの異なるニーズに基づき、マウス操作モードか、ホールド操作モードに変換される事を特徴とするポインタ装置に関する。
【背景技術】
【０００２】
ポインタ装置（一般的にマウス装置と呼ばれているもの）は、現在コンピュータシステムを使用する上で欠かすことのできない入力装置であり、コンピュータシステムの殆どのユーザーは、コンピュータシステムに対して、マウス装置を通して指令の入力及び各種機能の操作を行っている。より便利かつ快適なマウス装置をユーザーに提供するため、業界ではマウス装置の機能、外観、利便性などに対して、絶え間なく多くの改良と改善を行っている。例えば、光線の誘導を利用して遊標移動位置を表現させることにより、過去にマウス本体の下方に設けられたローラーボール部材によって表現されていたポインタ移動に変えたり、キー操作の部分では、二つのクリックキーの中間に一つのローラーキーを加え、ユーザーがローラー装置を利用してコンピュータシステムに対して操作を行う時により多くの利便性をもたらした。
【先行技術文献】
【特許文献】
【０００３】
【特許文献１】台湾実用新案第３４３１９９号公報
【特許文献２】特表２００５−５２４８９７号公報
【発明の概要】
【発明が解決しようとする課題】
【０００４】
しかしながら、前述した従来の技術では、現在の市場にある殆どのマウス装置のホールド方法は、手の平で覆う方法が操作の姿勢である。このような操作方法では、長時間の操作において、手の筋肉の一部と関節が簡単に疲労してしまう。さらに、このような操作方法では腕の作用点が欠けているため、長時間の使用による操作下では容易に腕の怪我を引き起こし、ユーザーの手の運動障害を引き起こしてしまう。
【０００５】
市場の他のマウス装置では、出来る限りの人体光学に符合する設計や、ホールド式のマウス装置を設計することにより、手の疲労を改善させるが、上述の種類のマウス装置では使用時の姿勢はやはり長時間固定されるため、ユーザーが長時間使用する場合において、手の疲労が従来通り引き起こされてしまう。
【０００６】
本発明は、このような従来の問題に鑑みてなされたものである。上記課題解決のため、本発明は、従来のマウス装置を長時間使用する際に、姿勢が固定されている事によってユーザーの手に疲労が起こり腕の怪我を引き起こす問題を解決させるポインタ装置を提供することを主目的とする。
【課題を解決するための手段】
【０００７】
上述した課題を解決し、目的を達成するために、本発明に係るポインタ装置は、その一端に設けられる第一ヒンジ部と、その内部に電気的に設けられ、変位を検出して変位信号を発生させる変位感知モジュールを有する固定ベースと、その一端に設けられると共に前記第一ヒンジ部とピボットされる第二ヒンジ部と、その内部に電気的に設けられると共に電気的に前記変位感知モジュールと接続させられ、前記変位信号を受け取ると共に、前記変位信号を前記コンピュータ装置に伝送させる処理ユニットを有する本体とを含む。ここで、前記本体は選択的に前記固定ベースに相対し、マウス操作角度や、ホールド操作角度へとピボットさせられることを特徴とする。
【０００８】
また、処理ユニットは本体内に電気的に設けられている。処理ユニットは変位感知モジュールに電気的に接続され、変位信号を受け取り、変位信号をコンピュータ装置に伝送させることを特徴とする。
【０００９】
さらに収容空間を有する外ケース体を含み、前記固定ベースと前記本体は前記外ケース内に収容されることを特徴とする。
【発明の効果】
【００１０】
本発明によれば、ユーザーは本発明で開示されたポインタ装置を用いることにより、その使用ニーズに基づいて、固定ベースと本体とをマウス操作角度またはホールド操作角度へとピボットさせることにより、ポインタ装置の操作モードを変更させる。これによりユーザーの手が長時間操作する際に、固定された姿勢を維持することにより手が疲労し、運動障害までもが引き起こされるという現象が発生しないという効果が得られる。
【図面の簡単な説明】
【００１１】
【図１】本発明の第一実施形態に係る正面立体概略図である。
【図２】本発明の第一実施形態に係る背面立体概略図である。
【図３】本発明の第一実施形態に係る電気回路ブロック概略図である。
【図４Ａ】本発明の第一実施形態に係るホールド操作モードの正面立体概略図である。
【図４Ｂ】図４Ａに示す第一実施形態の第一ヒンジ部と第二ヒンジ部の拡大分解概略図である。
【図５】本発明の第一実施形態に係るホールド操作モードの側面概略図である。
【図６】本発明の第一実施形態に係るマウス操作モードの側面概略図である。
【図７】本発明の第二実施形態に係る正面立体概略図である。
【図８】本発明の第二実施形態に係る背面立体概略図である。
【図９】本発明の第二実施形態に係る電気回路ブロック概略図である。
【図１０】本発明の第二実施形態に係る外ケース体との組み合わせを示す正面立体図である。
【図１１】本発明の第二実施形態に係る外ケース体との組み合わせを示す背面立体図である。
【図１２】図７に示す本発明の第二実施形態のＡ‐Ａ’の断面概略図である。
【発明を実施するための形態】
【００１２】
以下、本発明を実施するための形態について、図面を参照し詳細に説明する。なお、本発明は、以下に説明する実施形態に限定されるものではない。
【００１３】
まず、本発明のポインタ装置の第１実施形態について説明する。
（第１実施形態）
図１から図６において、本発明の第１実施形態の構成を示す。本発明の実施形態に係るポインタ装置１００は、図１と図２の本発明の第一実施形態に係る正面及び背面立体概略図と、図３の本発明の第一実施形態に係る電気回路ブロック概略図とで示されている。ポインタ装置１００は固定ベース１１０と本体１２０とを含み、固定ベース１１０の一端は第一ヒンジ部１１１に設けられ、本体１２０の一端は第二ヒンジ部１２１に設けられ、固定ベース１１０と本体１２０は第一ヒンジ部１１１と第二ヒンジ部１２１によって互いにピボットされている。変位感知モジュール１４０は固定ベース１１０内に電気的に設けられ、この変位感知モジュール１４０はさらに光源１４３と光センサー１４５を含み、固定ベース１１０はビア１４１を有する。これにより、光源１４３はビア１４１を通過するセンサー光線を射出させることができ、光センサー１４５はセンサー光線の反射光を受け取り、変位信号を発生させる。これに熟知した技術者は実際の使用ニーズや設計ニーズに基づき、各種周知の変位センサー技術を使用して変位信号を発生させることが出来るため、本発明で開示される実施形態に限定されない。
【００１４】
本体１２０は処理ユニット１２３と、処理ユニット１２３に電気的に接続される変位感知モジュール１４０とを含み、処理ユニット１２３は変位感知モジュール１４０から発生される変位信号を受け取る。これ以外に、本体１２０は処理ユニット１２３に電気的に接続される二つのキー１２７を有し、ユーザーに入力操作を行わせる。これに熟知した技術者は実際の使用ニーズや設計ニーズに基づいてキーの数や構造を修正できる。または、他の入力信号の構造によって達成させることができ、本発明で開示される実施形態に限定されない。
【００１５】
本発明のポインタ装置１００はさらに接続ライン１５１を含み、この接続ライン１５１はポインタ装置１００とコンピュータ装置２００とを電気的に接続させるために用いる。従って、処理ユニット１２３は接続ライン１５１を通して変位信号をコンピュータ装置２００に伝送し、ユーザーは本発明のポインタ装置１００を通して、コンピュータ装置２００を操作する。しかし、本発明はこれに限定されず、ポインタ装置１００はコンピュータ装置２００と例えばブルートゥス（Ｂｌｕｅｔｏｏｔｈ（登録商標））通信などの無線方式によってコミュニケートが出来る。
【００１６】
さらに、本体１２０の別の一端は孔部１２５を有する。本発明のポインタ装置１００はさらにホールド部材を含み、このホールド部材１３０は孔部１２５内に差し込むことができる。本実施形態では、このホールド部材１３０はペンであり、孔部１２５の口径は一般の市場でよくみられる鉛筆やボールペンの芯の直径と類似するように設計される。ユーザーは身の回りのペンを孔部１２５中に差し込むことにより、本発明のポインタ装置１００をホールドすることができる。しかし、これに熟知した技術者は、実際の使用ニーズや設計ニーズに基づき、各種構造を使用してホールドの効果を達成させ、ホールド部材１３０の形状を変更させることができるため、本発明で開示される実施形態に限定されない。
【００１７】
また、図４Ａと図５はそれぞれ本発明の第一実施形態に係るホールド操作モードの正面立体概略図及び側面概略図であり、図４Ｂは図４Ａに示す第一実施形態の第一ヒンジ部と第二ヒンジ部の接続方式を拡大分解概略図によって示している。
【００１８】
固定ベース１１０と本体１２０とは第一ヒンジ部１１１と第二ヒンジ部１２１とによってピボットされる。本体１２０は固定ベース１１０に対してピボットされ、本体１２０と固定ベース１１０との間には角度が出来る。本実施形態では、固定ベース１１０と本体１２０がホールド操作角度１７０にピボットされる時、ホールド操作モードとなる。ユーザーはホールド姿勢で本体１２０を握り、本発明のポインタ装置１００を操作する。
【００１９】
これ以外に、第一ピボット部１１１は凸点を含む。第二ピボット部１２１は少なくとも一つの位置決め穴１２９を含む。本体１２０は凸点１１９を位置決め穴１２９に嵌め込むことによって、図４Ｂに示す様にホールド操作角度１７０を維持する。多数の位置決め穴１２９を設ける目的は、ユーザーにその求めるホールド操作角度１７０に基づいて異なる位置決め穴１２９を選ばせ、本体１２０と固定ベース１１０を固定させることである。
【００２０】
しかし、これに熟知した技術者は、実際の使用ニーズや設計ニーズに基づいて、少なくとも一つの凸点１１９を位置決め穴１２９に対応させて使用し、上述の効果を達成させる。或いは複数の凸点１１９と複数の位置決め穴１２９により上述の効果を達成させる。或いは、単一の凸点１１９と位置決め穴１２９により、本体１２０と固定ベース１１０を固定させることを達成させるが、これに限られない。さらに、この技術に熟知した技術者は、実際の使用ニーズや、設計ニーズに基づき、いかなる周知の技術手段であったとしても、本体１２０と固定ベース１１０を固定させる方法であれば、本発明で開示される実施形態で限定されない。
【００２１】
本実施形態では、固定ベース１１０と本体１２０とが平行な時はマウス操作モードとなる。ここで、本体１２０は更に凹部１５０を有する。且つ、固定ベース１１０のサイズが本体１２０のサイズより小さい時、固定ベース１１０は凹部１５０中に嵌め込まれ、図６の本発明の第一実施形態に係るマウス操作モードの側面概略図で示されている通りである。
【００２２】
従って、上述の本発明のポインタ装置１００によって、ユーザーはその使用ニーズに基づいて、固定ベース１１０と本体１２０とをピボットしてホールド操作角度１７０（図５参照）にする事、またはマウス操作角度（図６の参照）にすることにより、このポインタ装置１００の操作モードを変更する。この様に、ユーザーは固定されたホールド方式によって長時間コンピュータ装置２００を操作する必要がないため、長時間の操作の際に姿勢が固定されているために手が疲労して運動障害が起こるという現象までもが発生することはない。
【００２３】
次に、本発明のポインタ装置の第２実施形態について説明する。
（第２実施形態）
図７から図１２において、本発明の第２実施形態の構成を示す。図７と図８は本発明の第二実施形態に係る正面及び背面立体概略図である。図９は本発明の第二実施形態に係る電気回路ブロック概略図である。
【００２４】
本発明の第二実施形態のポインタ装置１００’は、固定ベース１１０と、本体１２０と外ケース体１６０とを含む。ここで、固定ベース１１０と本体１２０との細部構造と、それに関連するピボット方式は本発明の第一実施形態で開示されるポインタ装置１００とほぼ類似しているため、記述を省略する。さらに、類似している部材は同じ部材符号により標示しているため、説明をより明確にする。
【００２５】
図１０と図１１は、本発明の第二実施形態に係る外ケース体の組み合わせを示す正面及び背面立体図である。外ケース体１６０は収容空間１６１を有する。固定ベース１１０と本体１２０はこの収容空間１６１中に設けられ、外ケース体１６０内に収容される。本実施形態においては、この収容空間１６１のサイズと表示されているマウス操作モードの固定ベース１１０と本体１２０とのサイズは同じであり、固定ベース１１０と本体１２０とは収容空間１６１の中に収容が可能である。
【００２６】
更に、外ケース体１６０はローラー１６７と第一接続ポート１６５を含む。本実施形態において、固定ベースはさらに第二接続ポート１１５を有し、この第二接続ポート１１５は処理ユニット１２３に電気的に接続される。従って、固定ベース１１０と本体１２０とは外ケース体１６０の収容空間１６１中に組み合わせられて収容され、第一接続ポート１６５と第二接続ポート１１５とは相互に接続され、第一接続ポート１６５と処理ユニット１２３とは電気的に接続されるという効果が達成される。ローラー１６７は第一接続ポート１６５に電気的に接続される。これにより、ローラー１６７は選択的に作動され、ページロール信号を発生する。このページロール信号は第一接続ポート１６５と第二接続ポート１１５とによって処理ユニット１２３に伝送させられる。
【００２７】
従って、ユーザーが外ケース体１６０のローラー１６７を操作することによって発生すページロール信号が処理ユニット１２３に伝送される。このページロール信号は、接続ライン１５１によって、コンピュータ装置２００へと伝送される。
【００２８】
図１２は図７に示す本発明の第二実施形態のＡ‐Ａ’の断面概略図である。外ケース体１６０はさらに二つのプッシュ部１６３を含む。この二つのプッシュ部１６３はそれぞれ本体１２０に設けられる二つのキー１２７と対応しているので、少なくとも一つのプッシュ部１６３が選択的に作動する。対応するキー１２７と当接する時、このキー１２７は処理ユニット１２３と電気的に接続するので、この操作信号は処理ユニット１２３を通して、コンピュータ装置２００へと伝送される。
【００２９】
本実施形態では機械方式を使用し、二つのプッシュ部１６３を二つのキー１２７の上部に対応するよう設けられる。ユーザーがどちらかのプッシュ部１６３を押す時、プッシュ部１６３は対応するキー１２７に当接し、ユーザーが直接このキー１２７を押すのと同じ効果がある。しかし、これに熟知した技術者は、実際の使用や設計のニーズに基づき、異なるキーの数や構造で設計を修正させて達成させることもできるため、本発明で開示される実施形態に限定されない。
【００３０】
このように、ユーザーは本発明の第二実施形態で開示されるポインタ装置１００’を通じて、マウス操作モードでは、外ケース体１６０と組み合わせることで、手のホールドする面積を増加させ、さらに、人体工学に符合した設計がなされ、外ケース体１６０のローラー１６７構造によって、さらにユーザーがこのポインタ装置１００’を操作することを容易にさせる。説明を加えるべきは、本実施形態の外ケース体１６０は四角形の構造によって説明がなされているが、これに熟知した技術者は、人体工学の設計に応じて、扇形やさらに多種類な外形の設計に変更させることができ、本発明で開示される実施形態に限られない。
【００３１】
以上、本発明はこのような実施形態に限定されるものではなく、発明の趣旨を逸脱しない範囲において、種々の形態で実施することができる。
【符号の説明】
【００３２】
１００、１００’   …  ポインタ装置
１１０  …  固定ベース
１２０  …  本体
１１１  …  第一ヒンジ部
１２１  …  第二ヒンジ部
１２３  …  処理ユニット
１２５  …  孔部
１２７  …  キー
１３０  …  ホールド部材
１４０  …  変位感知モジュール
１４１  …  ビア
１４３  …  光源
１４５  …  光センサー
１１９  …  凸点
１２９  …  位置決め穴
１５０  …  凹部
１５１  …  接続ライン
１６０  …  外ケース体
１６１  …  収納空間
１６３  …  プッシュ部
１６７  …  ローラー
１６５  …  第一接続ポート
１１５  …  第二接続ポート
１７０  …  ホールド操作角度
２００  …  コンピュータ装置
【図１】
0005514849.tif 000002
【図２】
0005514849.tif 000003
【図３】
0005514849.tif 000004
【図４Ａ】
0005514849.tif 000005
【図４Ｂ】
0005514849.tif 000006
【図５】
0005514849.tif 000007
【図６】
0005514849.tif 000008
【図７】
0005514849.tif 000009
【図８】
0005514849.tif 000010
【図９】
0005514849.tif 000011
【図１０】
0005514849.tif 000012
【図１１】
0005514849.tif 000013
【図１２】
0005514849.tif 000014